【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
単一色の画素を含む第１領域と、
互いに共通な発光層を含む有機層を有すると共に、前記画素とは異なる複数色の画素を含む第２領域と、
前記第１領域および第２領域を分離する隔壁と
を備えた表示装置。
【請求項２】
前記第２領域に設けられた複数色の画素はカラーフィルタによって色分割されている、請求項１に記載の表示装置。
【請求項３】
前記隔壁は撥水処理されている、請求項１または２に記載の表示装置。
【請求項４】
前記単一色の画素および複数色の画素の周囲には親液領域が設けられており、前記親液領域によって画素形状が規定されている、請求項１乃至３のいずれか１つに記載の表示装置。
【請求項５】
前記第２領域に設けられた前記複数色の画素は、互いに異なる色の画素が隣り合うように１列に配置されている、請求項１乃至４のいずれか１つに記載の表示装置。
【請求項６】
前記第２領域に設けられた前記複数色の画素は矩形状を有し、前記画素の長手方向が前記隔壁の延在方向に対して垂直に配置されている、請求項５に記載の表示装置。
【請求項７】
前記第２領域に設けられた前記複数色の画素は、前記隔壁の延在方向に沿って色ごとに直線状に配置されている、請求項１乃至６のいずれか１つに記載の表示装置。
【請求項８】
前記画素は、基板上に設けられた薄膜トランジスタおよび前記薄膜トランジスタ上に設けられた発光層を有する表示素子を含み、前記第２領域に設けられた前記複数色の画素は、前記薄膜トランジスタと表示素子との間の平坦化膜に段差を設けることで色ごとにそれぞれ異なる厚みの発光層を有する、請求項１乃至７のいずれか１つに記載の表示装置。
【請求項９】
前記表示素子は、前記平坦化膜上に設けられた下部電極と、前記下部電極上に設けられた正孔注入または正孔輸送の少なくとも一方の特性を有する正孔注入・輸送層と、前記正孔注入・輸送層上に設けられた発光層と、前記発光層上に設けられると共に、前記第１領域および第２領域の全面に連続して設けられた電子注入または前記輸送の少なくとも一方の特性を有する電子注入・輸送層および上部電極とを備えた、請求項８に記載の表示装置。
【請求項１０】
前記第１領域に設けられた表示素子の発光層は、前記第１領域および第２領域の全面に連続して設けられ、前記第２領域に設けられた表示素子の発光層に積層されている、請求項９に記載の表示装置。
【請求項１１】
前記第１領域に設けられた表示素子の発光層は蒸着法により形成されている、請求項１０に記載の表示装置。
【請求項１２】
前記第２領域に設けられた表示素子の前記正孔注入・輸送層および発光層は、吐出方式を用いた印刷方法、版を用いた印刷方法、噴霧方法を用いて形成されている、請求項９乃至１１のいずれか１つに記載の表示装置。
【請求項１３】
前記正孔注入・輸送層はスリットコート法、スプレーコート法またはスピンコート法により前記第１領域および第２領域の全面に形成されている、請求項９乃至１１のいずれか１つに記載の表示装置。
【請求項１４】
表示装置を備え、
前記表示装置は、
単一色の画素を含む第１領域と、
互いに共通な発光層を含む有機層を有すると共に、前記画素とは異なる複数色の画素を含む第２領域と、
前記第１領域および第２領域を分離する隔壁と
を有する、電子機器。
【手続補正２】
【補正対象書類名】明細書
【補正対象項目名】００１５
【補正方法】変更
【補正の内容】
【００１５】
【図１】本開示の第１の実施の形態に係る表示装置の構成の一例を表す平面図である。
【図２】本開示の第１の実施の形態に係る表示装置の構成の他の例を表す平面図である。
【図３】図１に示した表示装置における有機層の塗布方法を説明する模式図である。
【図４】図１に示した表示装置の概略図である。
【図５】図４に示した表示装置の画素駆動回路の一例を表す図である。
【図６】図１に示した表示装置の一部の断面図である。
【図７】図１に示した表示装置を構成する有機ＥＬ素子の断面図である。
【図８】図１に示した表示装置の製造工程の流れを表したものである。
【図９】比較例に係る表示装置の構成を表す平面図である。
【図１０】比較例および本開示の表示装置の断面を表す模式図である。
【図１１】本開示の変形例に係る表示装置の一部の断面表した模式図である。
【図１２】本開示の表示装置を用いたモジュールの構成を表す模式図である。
【図１３】適用例１の外観を表す斜視図である。
【図１４】（Ａ）は適用例２の表側から見た外観を表す斜視図、（Ｂ）は裏側から見た外観を表す斜視図である。
【図１５】適用例３の外観を表す斜視図である。
【図１６】適用例４の外観を表す斜視図である。
【図１７】（Ａ）は適用例５の開いた状態の正面図、（Ｂ）はその側断面、（Ｃ）は閉じた状態の正面図、（Ｄ）は左側面図、（Ｅ）は右側面図、（Ｆ）は上面図、（Ｇ）は下面図である。
【手続補正３】
【補正対象書類名】明細書
【補正対象項目名】００２２
【補正方法】変更
【補正の内容】
【００２２】
表示領域２の各色画素５Ｒ，５Ｇ，５Ｂ上には、上述したように各色画素５Ｒ，５Ｇ，５Ｂに対応する色の有機ＥＬ素子１０（１０Ｒ，１０Ｇ，１０Ｂ）が設けられている。この有機ＥＬ素子１０は、詳細は後述するが、下部電極１２（第１電極），撥液層１４（隔壁），有機層１５および上部電極１６（第２電極）がこの順に積層された構成を有している（図６参照）。このうち、有機層１５の一部（特に、黄色発光層１５ＣＹ）が液滴吐出法等の塗布法により形成されている。具体的には、有機層１５を構成する有機材料を有機溶媒に溶解させたインクを、スリットコーター（またはストライプコーター）のヘッドに設けられた複数の吐出口から吐出し、各画素５Ｒ，５Ｇ，５Ｂが配置された各画素ライン（ＲＧ領域３Ａ，Ｂ領域３Ｂ）に配する。この後、加熱することにより溶媒を除去して各層を形成する。
【手続補正４】
【補正対象書類名】明細書
【補正対象項目名】００２６
【補正方法】変更
【補正の内容】
【００２６】
表示領域２内には画素駆動回路１４０が設けられている。図５は、画素駆動回路１４０の一例を表したものである。画素駆動回路１４０は、後述する下部電極１２の下層に形成されたアクティブ型の駆動回路である。すなわち、この画素駆動回路１４０は、駆動トランジスタＴｒ１および書き込みトランジスタＴｒ２と、これらトランジスタＴｒ１，Ｔｒ２の間のキャパシタ（保持容量）Ｃｓと、第１の電源ライン（Ｖｃｃ）および第２の電源ライン（ＧＮＤ）の間において駆動トランジスタＴｒ１に直列に接続された赤色有機ＥＬ素子１０Ｒ（または緑色有機ＥＬ素子１０Ｇ，青色有機ＥＬ素子１０Ｂ）とを有する。駆動トランジスタＴｒ１および書き込みトランジスタＴｒ２は、一般的な薄膜トランジスタ（ＴＦＴ；Thin Film Transistor）により構成され、その構成は、例えば逆スタガ構造（いわゆるボトムゲート型）でもよいしスタガ構造（トップゲート型）でもよく特に限定されない。
【手続補正５】
【補正対象書類名】明細書
【補正対象項目名】００２９
【補正方法】変更
【補正の内容】
【００２９】
（ＴＦＴ）
ＴＦＴ２０は、いわゆるボトムゲート型のＴＦＴであり、チャネル（活性層）に、例えば酸化物半導体を用いたものである。このＴＦＴ２０では、ガラス等よりなる基板１１上に、ゲート電極２１、ゲート絶縁膜２２，２３、チャネル層２４、チャネル保護膜２５およびソース電極２６Ａおよびドレイン電極２６Ｂがこの順に形成されている。ソース・ドレイン電極２６Ａ，２６Ｂ上には、基板１１の全面に渡ってＴＦＴ２０の凹凸を平坦化させるための平坦化層２７が形成されている。
【手続補正６】
【補正対象書類名】明細書
【補正対象項目名】００３０
【補正方法】変更
【補正の内容】
【００３０】
ゲート電極２１は、ＴＦＴ２０に印加されるゲート電圧によってチャネル層２４中のキャリア密度（ここでは、電子密度）を制御する役割を果たすものである。このゲート電極２１は、例えばＭｏ，Ａｌおよびアルミニウム合金等のうちの１種よりなる単層膜、または２種以上よりなる積層膜により構成されている。なお、アルミニウム合金としては、例えばアルミニウム−ネオジム合金が挙げられる。
【手続補正７】
【補正対象書類名】明細書
【補正対象項目名】００３１
【補正方法】変更
【補正の内容】
【００３１】
ゲート絶縁膜２２，２３は、ＳｉＯ2、Ｓｉ3Ｎ4、シリコン窒化酸化物（ＳｉＯＮ）お
よび酸化アルミニウム（Ａｌ2Ｏ3）等のうちの１種よりなる単層膜、またはこれらのうちの２種以上よりなる積層膜である。ここでは、ゲート絶縁膜２２，２３は、２層膜構造を有し、ゲート絶縁膜２２が例えばＳｉＯ2膜、ゲート絶縁膜２３は例えばＳｉ3Ｎ4膜によりそれぞれ構成されている。ゲート絶縁膜２２，２３の総膜厚は、例えば２００ｎｍ〜３００ｎｍである。
【手続補正８】
【補正対象書類名】明細書
【補正対象項目名】００３２
【補正方法】変更
【補正の内容】
【００３２】
酸化物半導体層２４は、例えばインジウム（Ｉｎ），ガリウム（Ｇａ），亜鉛（Ｚｎ），スズ（Ｓｎ），Ａｌ，Ｔｉのうちの少なくとも１種の酸化物を主成分として含んでいる。このチャネル層２４は、ゲート電圧の印加によりソース・ドレイン電極２６Ａ，２６Ｂ間にチャネルを形成するものである。この酸化物半導体層２４の膜厚は、例えば５ｎｍ〜１００ｎｍである。
【手続補正９】
【補正対象書類名】明細書
【補正対象項目名】００３３
【補正方法】変更
【補正の内容】
【００３３】
チャネル保護膜２５は、チャネル層２４上に形成され、ソース・ドレイン電極２６Ａ，２６Ｂ形成時におけるチャネルの損傷を防止するものである。チャネル保護膜２５の厚みは、例えば１０〜３００ｎｍである。
【手続補正１０】
【補正対象書類名】明細書
【補正対象項目名】００３６
【補正方法】変更
【補正の内容】
【００３６】
（有機ＥＬ素子）
図７は図２のＩ−Ｉ'破線における有機ＥＬ素子１０（１０Ｒ，１０Ｇ，１０Ｂ）の断
面構成を表したものである。有機ＥＬ素子１０は、下部電極１２（第１電極：アノード電極）から注入された正孔と上部電極１６（第２電極：カソード電極）から注入された電子が発光層１５Ｃ内で再結合する際に生じた発光光を基板１１と反対側（カソード電極側）から取り出す上面発光型（トップエミッション型）の表示素子である。上面発光型の有機ＥＬ素子１０を用いることにより表示装置の発光部の開口率が向上する。なお、本発明の有機ＥＬ素子１０は、このような構成に限定されることはなく、例えば基板１１側から光を取り出す透過型、即ち下面発光型（ボトムエミッション型）の表示素子としてもよい。
【手続補正１１】
【補正対象書類名】明細書
【補正対象項目名】００３８
【補正方法】変更
【補正の内容】
【００３８】
ここで、上方に有機層１５を除く下部電極１２上および平坦化層２７上には、例えば、ＳｉＯ2，Ｓｉ3Ｎ4等が用いられた上述した親液領域３、ここでは親液層１３が形成され
ている。この親液層１３上には、図７（Ａ）に示したように、赤色発光素子１０Ｒおよび緑色発光素子１０Ｇが配置されたＲＧ領域２Ａと青色発光素子１０Ｂが配置されたＢ領域２Ｂとの間に撥液層１４が設けられている。この撥液層１４は、有機層１５をパターニングするための撥液領域４である。なお、この撥液層１４は、下部電極１２と、後述する上部電極１６との絶縁性を確保する役割も有し、一般的に隔壁として機能するものである。この撥液層１４は、ＴＦＴ２０のソース・ドレイン電極２６Ａ，２６Ｂと下部電極１２との接続部上に設けられている。また、撥液層１４は図７（Ｂ）に示したように、下部電極１２および親液層１３上に後述する正孔注入層１５Ａおよび正孔輸送層１５Ｂを順に積層したのち、正孔輸送層１５Ｂ上に形成してもよい。撥液層１４は、上述したようにポリイミドまたはノボラック等の有機材料により形成されており、プラズマ処理することにより、撥液性が付加される。
【手続補正１２】
【補正対象書類名】明細書
【補正対象項目名】００３９
【補正方法】変更
【補正の内容】
【００３９】
有機層１５は、例えば、図７（Ａ），（Ｂ）に示したように、下部電極１２側から順に、正孔注入層１５Ａ，正孔輸送層１５Ｂ，黄色発光層１５ＣＹ，青色発光層１５ＣＢ，電子輸送層１５Ｄおよび電子注入層１５Ｅを積層した構成を有する。有機層１５は、詳細は後述するが、例えば真空蒸着法やスピンコート法等によって形成される。この有機層１５の上面は上部電極１５によって被覆されている。有機層１５を構成する各層の膜厚および構成材料等は特に限定されないが、一例を以下に示す。
【手続補正１３】
【補正対象書類名】明細書
【補正対象項目名】００４０
【補正方法】変更
【補正の内容】
【００４０】
正孔注入層１５Ａは、発光層１５Ｃへの正孔注入効率を高めると共に、リークを防止するためのバッファ層である。正孔注入層１６Ａの厚みは例えば５ｎｍ〜２００ｎｍであることが好ましく、さらに好ましくは８ｎｍ〜１５０ｎｍである。正孔注入層１５Ａの構成材料は、電極や隣接する層の材料との関係で適宜選択すればよく、例えばポリアニリン，ポリチオフェン，ポリピロール，ポリフェニレンビニレン，ポリチエニレンビニレン，ポリキノリン，ポリキノキサリンおよびそれらの誘導体、芳香族アミン構造を主鎖又は側鎖に含む重合体などの導電性高分子，金属フタロシアニン（銅フタロシアニン等），カーボンなどが挙げられる。導電性高分子の具体例としてはオリゴアニリンおよびポリ（３，４−エチレンジオキシチオフェン）（ＰＥＤＯＴ）などのポリジオキシチオフェンが挙げられる。
【手続補正１４】
【補正対象書類名】明細書
【補正対象項目名】００４２
【補正方法】変更
【補正の内容】
【００４２】
発光層１５Ｃは、電界をかけることにより電子と正孔との再結合が起こり発光するものであり、ここでは黄色の光を発する黄色発光層１５ＣＹおよび青色の光を発する青色発光層１５ＣＢから構成されている。具体的には、黄色発光層１５ＣＹは、ＲＧ領域２Ａ上、換言すると赤色発光素子１０Ｒおよび緑色発光素子１０Ｇ上に設けられており、青色発光層１５ＢはＲＧ領域２ＡおよびＢ領域２Ｂ、即ち画素領域全面にベタ膜として設けられている。黄色発光層１５ＣＹの厚みは、素子の全体構成にもよるが、例えば１０ｎｍ〜２００ｎｍであることが好ましく、さらに好ましくは１５ｎｍ〜１００ｎｍである。青色発光層１５ＣＢの厚みは、素子の全体構成にもよるが、例えば２ｎｍ〜５０ｎｍであることが好ましく、さらに好ましくは５ｎｍ〜３０ｎｍである。
【手続補正１５】
【補正対象書類名】明細書
【補正対象項目名】００５１
【補正方法】変更
【補正の内容】
【００５１】
第２層１６Ｂは、薄膜のＭｇＡｇ電極やＣａ電極などの光透過性を有し、且つ、導電性が良好な材料で構成されている。第３層１６Ｃは、電極の劣化を抑制するために透明なランタノイド系酸化物を用いることが好ましい。これにより、上面から光を取り出すことが可能な封止電極として用いることが可能となる。また、ボトムエミッション型の場合には、第３層１６Ｃの材料として金（Ａｕ），白金（Ｐｔ）またはＡｕＧｅ等が用いられる。
【手続補正１６】
【補正対象書類名】明細書
【補正対象項目名】００５６
【補正方法】変更
【補正の内容】
【００５６】
封止用基板１８は、有機ＥＬ素子１０の上部電極１５の側に位置しており、接着層（図示せず）と共に有機ＥＬ素子１０を封止するものである。封止用基板１８は、有機ＥＬ素子１０で発生した光に対して透明なガラスなどの材料により構成されている。封止用基板１８には、例えば、カラーフィルタ１８Ａおよびブラックマトリクスとしての遮光膜１８Ｂが設けられており、有機ＥＬ素子１０で発生した光を取り出すと共に、各有機ＥＬ素子１０間の配線において反射された外光を吸収し、コントラストを改善するようになっている。
【手続補正１７】
【補正対象書類名】明細書
【補正対象項目名】００５７
【補正方法】変更
【補正の内容】
【００５７】
カラーフィルタ１８Ａは、赤色発光素子１０Ｒおよび緑色発光素子１０Ｇ上にそれぞれ赤色フィルタ１８ＡＲおよび緑色フィルタ１８ＡＧを有している。赤色フィルタ１８ＡＲおよび緑色フィルタ１８ＡＧは、それぞれ例えば矩形形状で配置されている。これら赤色フィルタ１８ＡＲおよび緑色フィルタ１８ＡＧは、顔料を混入した樹脂によりそれぞれ構成されており、顔料を選択することにより、目的とする赤色または緑色の波長域における光透過率が高く、他の波長域における光透過率が低くなるように調整されている。なお、ここでは青色発光素子１０Ｂ上にカラーフィルタを設けなかったが、青色のカラーフィルタを設けても構わない。
【手続補正１８】
【補正対象書類名】明細書
【補正対象項目名】００５８
【補正方法】変更
【補正の内容】
【００５８】
遮光膜１８Ｂは、例えば黒色の着色剤を混入した光学濃度が１以上の黒色の樹脂膜、または薄膜の干渉を利用した薄膜フィルタにより構成されている。このうち黒色の樹脂膜により構成するようにすれば、安価で容易に形成することができるので好ましい。薄膜フィルタは、例えば、金属，金属窒化物あるいは金属酸化物よりなる薄膜を１層以上積層し、薄膜の干渉を利用して光を減衰させるものである。薄膜フィルタとしては、具体的には、Ｃｒと酸化クロム（ＩＩＩ）（Ｃｒ2Ｏ3）とを交互に積層したものが挙げられる。
【手続補正１９】
【補正対象書類名】明細書
【補正対象項目名】００６５
【補正方法】変更
【補正の内容】
【００６５】
（青色発光層１５ＣＢ，電子輸送層１５Ｄ，電子注入層１５Ｅおよび上部電極１６を形成する工程）
黄色発光層１５ＣＹを形成したのち、正孔輸送層１５Ｂおよび黄色発光層１５ＣＹの全面に、蒸着法により、青色発光層１５ＣＢを形成する（ステップＳ１０６）。続いて、青色発光層１５ＣＢの全面に蒸着法により電子輸送層１５Ｄ，電子注入層１５Ｅおよび上部電極１６を形成する（ステップＳ１０７，Ｓ１０８）。
【手続補正２０】
【補正対象書類名】明細書
【補正対象項目名】００６６
【補正方法】変更
【補正の内容】
【００６６】
上部電極１６を形成したのち、保護膜１７、カラーフィルタ１８Ａおよび遮光膜１８Ｂを含む封止用基板１８を形成する。具体的には、まず保護膜１７を下地に対して影響を及ぼすことのない程度に、成膜粒子のエネルギーが小さい成膜方法、例えば蒸着法やＣＶＤ法により形成する。例えば、アモルファス窒化シリコンからなる保護膜１７を形成する場合には、ＣＶＤ法によって２〜３μｍの膜厚に形成する。この際、有機層１５の劣化による輝度の低下を防止するため、成膜温度を常温に設定すると共に、保護膜１７の剥がれを防止するために膜のストレスが最小になる条件で成膜することが望ましい。
【手続補正２１】
【補正対象書類名】明細書
【補正対象項目名】００６７
【補正方法】変更
【補正の内容】
【００６７】
青色発光層１５ＣＢ，電子輸送層１５Ｄ，電子注入層１５Ｅ，上部電極１６および保護膜１７は、マスクを用いることなく全面にベタ膜として形成される。また、青色発光層１５ＣＢ，電子輸送層１５Ｄ，電子注入層１５Ｅ，上部電極１６および保護膜１７の形成は、望ましくは、大気に暴露されることなく同一の成膜装置内において連続して行われる。これにより大気中の水分による有機層１５の劣化が防止される。
【手続補正２２】
【補正対象書類名】明細書
【補正対象項目名】００６８
【補正方法】変更
【補正の内容】
【００６８】
なお、下部電極１２と同一工程で補助電極（図示せず）を形成した場合、補助電極の上部にベタ膜で形成された有機層１５を、上部電極１６を形成する前にレーザアブレーションなどの手法によって除去してもよい。これにより上部電極１６を補助電極に直接接続させることが可能となり、接触性が向上する。
【手続補正２３】
【補正対象書類名】明細書
【補正対象項目名】００６９
【補正方法】変更
【補正の内容】
【００６９】
保護層１７を形成したのち、例えば、上述した材料よりなる封止用基板１８に、上述した材料よりなる遮光膜１８Ｂを形成する。続いて、封止用基板１８に赤色フィルタ１８ＡＲの材料をスピンコートなどにより塗布し、フォトリソグラフィ技術によりパターニングして焼成することにより赤色フィルタ１８ＡＲを形成する。続いて、赤色フィルタ１８ＡＲと同様にして、緑色フィルタ１８ＡＧを順次形成する。
【手続補正２４】
【補正対象書類名】明細書
【補正対象項目名】００７１
【補正方法】変更
【補正の内容】
【００７１】
なお、図７（Ｂ）に示したように、正孔輸送層１５Ｂ上に撥液層１４を形成する場合には以下のように形成する。まず、正孔注入層１５Ａおよび正孔輸送層１５Ｂを上記のように形成したのち、例えばインクジェット法，ノズルコート法またはストライプコート法あるいは凸版印刷，フレキソ印刷，オフセット印刷またはグラビア印刷を用いて撥液層１４を形成する。次いで、黄色発光層１５ＣＹ以降を上記方法を用いて形成する。これにより、正孔流入層１５Ａおよび正孔輸送層１５Ｂが容易に形成される。
【手続補正２５】
【補正対象書類名】明細書
【補正対象項目名】００７２
【補正方法】変更
【補正の内容】
【００７２】
この有機ＥＬ表示装置１Ａ，１Ｂでは、各画素に対して走査線駆動回路１３０から書き込みトランジスタＴｒ２のゲート電極を介して走査信号が供給されると共に、信号線駆動回路１２０から画像信号が書き込みトランジスタＴｒ２を介して保持容量Ｃｓに保持される。すなわち、この保持容量Ｃｓに保持された信号に応じて駆動トランジスタＴｒ１がオンオフ制御され、これにより、赤色有機ＥＬ素子１０Ｒ，緑色有機ＥＬ素子１０Ｇ，青色有機ＥＬ素子１０Ｂに駆動電流Ｉｄが注入され、正孔と電子とが再結合して発光が起こる。この光は、下面発光（ボトムエミッション）の場合には下部電極１２および基板１１を透過して、上面発光（トップエミッション）の場合には上部電極１６，封止基板１８に設けられたカラーフィルタ１８Ａを透過して取り出される。
【手続補正２６】
【補正対象書類名】明細書
【補正対象項目名】００７３
【補正方法】変更
【補正の内容】
【００７３】
本実施の形態の表示装置１Ａ，１Ｂでは、赤色画素５Ｒおよび緑色画素５Ｇを含むＲＧ領域２Ａと青色画素５Ｂを含むＢ領域２Ｂとの間にのみ隔壁を設け、共通発光層を有する赤色画素および緑色画素間には隔壁を設けないことにより、塗れ上がりによる画素内の有機層１５（特に発光層１５Ｃ）の厚膜化が低減され、画素の開口率が向上する。以下、これについて更に説明する。
【手続補正２７】
【補正対象書類名】明細書
【補正対象項目名】００７４
【補正方法】変更
【補正の内容】
【００７４】
有機層１５を構成する有機材料を溶解したインクは、前述したように粘度が低く、低接触角であるため濡れ性が高い。このため、吐出後のインクは表示領域２あるいは周辺領域６上で広がり、基板の信頼性を著しく低下させる、また、パターニングが難しく、更に各色画素５Ｒ，５Ｇ，５Ｂごとの膜厚の制御も難しい。この問題を解決する方法として、例えば図９に示したように赤色画素５Ｒ，緑色画素５Ｇおよび青色画素５Ｂをそれぞれ色ごとに直線状に配置し、各色の画素ライン間に撥液領域を設けて色ごとに分割する方法が考えられる。しかしながら、各色の画素領域（Ｒ領域１０２Ａ，Ｇ領域１０２Ｂ，Ｂ領域１０２Ｃ）に塗布されたインクは乾燥時に外縁部から溶媒が徐々に蒸発し、隔壁側面に有機材料が固化される。すると、画素領域内に残っているインクは隔壁側面に固化した有機材料を伝って塗れ上がる。図１０（Ａ）は図９のＩＩ−ＩＩ破線における断面構成を模式的に表したものであり、撥液層１０４（隔壁）の延在方向に沿う画素周縁部の有機層１１５の膜厚が厚くなる。この膜厚が厚くなった領域の発光光の発光効率は低下するため、各画素１０５Ｒ，１０５Ｇ，１０５Ｂの開口率が低下するという問題があった。
【手続補正２８】
【補正対象書類名】明細書
【補正対象項目名】００８０
【補正方法】変更
【補正の内容】
【００８０】
更に、上記表示装置１００では、赤色画素１０５Ｒ，緑色画素１０５Ｇおよび青色画素１０５Ｂごとに異なる発光層（赤色発光層，緑色発光層および青色発光層）を設けているが、本実施の形態では、赤色画素５Ｒおよび緑色画素５Ｇに設けられる赤色有機ＥＬ素子１０Ｒおよび緑色有機ＥＬ素子１０Ｇの発光層１５Ｃを共通（ここでは黄色発光層１５ＣＹ）とし、カラーフィルタ１８Ａ（赤色カラーフィルタ１８ＡＲ，緑色カラーフィルタ１８ＡＧ）で色分割して赤色光および緑色光を得るようにした。これにより、コストが低減されると共に、製造工程の簡略化も可能となる。
【手続補正２９】
【補正対象書類名】明細書
【補正対象項目名】００８２
【補正方法】変更
【補正の内容】
【００８２】
本変形例の表示装置１Ｃでは、ＴＦＴ２０上に設けられた平坦化膜３７に、カラーフィルタ１８Ａによって分割される発光色に応じた段差を設けることにより、有機ＥＬ素子１０Ｒ，１０Ｇの有機層１５（例えば、正孔注入層１５Ａ，正孔輸送層１５Ｂおよび黄色発光層１５ＣＹ）の膜厚を調整する。具体的には、短波長（ここでは緑色画素５Ｇ）よりも長波長側（ここでは赤色画素５Ｒ）の画素に対応する位置の平坦化膜３７にエッチング等により凹部３７Ａを形成する。これにより、有機層１５の有機材料を溶解したインクを塗布することによって、平坦化膜３７の膜厚比に応じた正孔注入層１５Ａ，正孔輸送層１５Ｂ等が形成され、各色に応じた正孔の注入効率が調整され、各色の発光効率が改善する。
【手続補正３０】
【補正対象書類名】明細書
【補正対象項目名】００８３
【補正方法】変更
【補正の内容】
【００８３】
表２は赤色画素５Ｒが設けられた平坦化膜３７に凹部３７Ａを設けた際の、凹部の深さによる赤色発光の取り出し効率の変化をまとめたものである。平坦化膜３７の赤色画素５Ｒに対応する位置にそれぞれ深さ０．２μｍ，０，５μｍ，１μｍ，１．５μｍの凹部２７Ａを設けた際の発光効率は、加工しない場合の取り出し効率を基準として、それぞれ１０％〜４０％の改善が得られた。
【手続補正３１】
【補正対象書類名】明細書
【補正対象項目名】００８５
【補正方法】変更
【補正の内容】
【００８５】
以上のことから、本変形例における表示装置１Ｃは、平坦化膜３７に凹部３７Ａを設け有機層１５の膜厚を調整することで所望の色度を有する発光光を効率よく取り出すことが可能となる。
【手続補正３２】
【補正対象書類名】明細書
【補正対象項目名】００８６
【補正方法】変更
【補正の内容】
【００８６】
上記表示装置１Ａ，１Ｂ，１Ｃは、例えば次の適用例１〜５に示した電子機器に搭載することができる。
【手続補正３３】
【補正対象書類名】明細書
【補正対象項目名】００８７
【補正方法】変更
【補正の内容】
【００８７】
（モジュールおよび適用例）
以下、上記実施の形態および変形例で説明した表示装置１Ａ，１Ｂ，１Ｃの適用例について説明する。上記実施の形態の表示装置１Ａ，１Ｂ，１Ｃは、テレビジョン装置，デジタルカメラ，ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【手続補正３４】
【補正対象書類名】明細書
【補正対象項目名】００８８
【補正方法】変更
【補正の内容】
【００８８】
（モジュール）
上記実施の形態等の表示装置１Ａ，１Ｂ，１Ｃは、例えば、図１２に示したようなモジュールとして、後述する適用例１〜５などの種々の電子機器に組み込まれる。このモジュールは、例えば、基板１１の一辺に、保護膜４０および封止用基板３０から露出した領域２１０を設け、この露出した領域２１０に、信号線駆動回路１２０および走査線駆動回路１３０の配線を延長して外部接続端子（図示せず）を形成したものである。外部接続端子には、信号の入出力のためのフレキシブルプリント配線基板（ＦＰＣ；Flexible Printe Circuit）２２０が設けられていてもよい。
【手続補正３５】
【補正対象書類名】明細書
【補正対象項目名】００８９
【補正方法】変更
【補正の内容】
【００８９】
（適用例１）
図１３は、上記実施の形態等の表示装置１Ａ，１Ｂ，２が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態に係る表示装置１Ａ〜１Ｃにより構成されている。
【手続補正３６】
【補正対象書類名】明細書
【補正対象項目名】００９０
【補正方法】変更
【補正の内容】
【００９０】
（適用例２）
図１４は、上記実施の形態等の表示装置１Ａ，１Ｂ，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態に係る表示装置１Ａ〜１Ｃにより構成されている。
【手続補正３７】
【補正対象書類名】明細書
【補正対象項目名】００９１
【補正方法】変更
【補正の内容】
【００９１】
（適用例３）
図１５は、上記実施の形態等の表示装置１Ａ，１Ｂ，２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態に係る表示装置１Ａ〜１Ｃにより構成されている。
【手続補正３８】
【補正対象書類名】明細書
【補正対象項目名】００９２
【補正方法】変更
【補正の内容】
【００９２】
（適用例４）
図１６は、上記実施の形態等の表示装置１Ａ，１Ｂ，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態に係る表示装置１Ａ〜１Ｃにより構成されている。
【手続補正３９】
【補正対象書類名】明細書
【補正対象項目名】００９３
【補正方法】変更
【補正の内容】
【００９３】
（適用例５）
図１７は、上記実施の形態等の表示装置１Ａ，１Ｂ，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態に係る表示装置１Ａ〜１Ｃにより構成されている。
【手続補正４０】
【補正対象書類名】明細書
【補正対象項目名】００９６
【補正方法】変更
【補正の内容】
【００９６】
更に、上記実施の形態等では、有機ＥＬ素子１０Ｒ，１０Ｇ，１０Ｂ等の構成を具体的に挙げて説明したが、全ての層を備える必要はなく、また、他の層を更に備えていてもよい。例えば、正孔注入層１５Ａ上に正孔輸送層１５Ｂを形成せず、直接発光層１５Ｃを形成してもよい。
【手続補正４１】
【補正対象書類名】図面
【補正対象項目名】図１０
【補正方法】変更
【補正の内容】
【図１０】
2013058423.tif 000001